(57)【要約】【課題】加熱手段の出力は使用者が自由に調整可能でき、また、他の機器への電力供給部を備え、多様なキッチンニーズに容易に対応できる加熱調理器を得る。【解決手段】第１の駆動回路３１によって駆動される第１の加熱手段５１及び第２の駆動回路３２によって駆動される第２の加熱手段５２と、第１及び第２の駆動回路に対する操作表示部６と、この操作表示部における設定に基づいて第１及び第２の駆動回路を制御する制御回路７と、電力の供給を受ける電源コンセントプラグ１を備えたものにおいて、電源コンセントから受入れた電力を他の機器へ供給する電力供給部４と、この電力供給部から供給される他の機器への電力量を検出する電力量検出手段８とを備え、制御手段は、この電力量検出手段の検知結果に応じて電源コンセントの許容電力を超えないように第１及び第２の駆動回路の一方に対する供給電力を下げるように制御する。【選択図】図１
2008021433.tif 000002
【特許請求の範囲】
【請求項１】
調理器具を加熱するための第１の駆動回路によって駆動される第１の加熱手段及び第２の駆動回路によって駆動される第２の加熱手段と、上記第１及び第２の駆動回路に対する操作表示部と、この操作表示部における設定に基づいて上記第１及び第２の駆動回路を制御する制御回路と、電源コンセントから電力の供給を受ける電源入力部とを備えたビルトイン型の加熱調理器において、上記電源入力部から受入れた電力を他の機器へ供給し得る電力供給部と、この電力供給部から供給される上記他の機器への電力量を検出する電力量検出手段とを備え、上記制御手段は、この電力量検出手段の検知結果に応じて上記電源コンセントの許容電力を超えないように上記第１及び第２の加熱手段の一方に対する供給電力を下げるように制御するようにしたことを特徴とする加熱調理器。
【請求項２】
上記第１及び第２の加熱手段の少なくも一つは誘導加熱コイルであり、該誘導加熱コイルに対応する上記第１または第２の駆動回路はインバータ回路であることを特徴とする請求項１に記載の加熱調理器。
【請求項３】
上記第１及び第２の駆動回路の内、上記制御手段によって供給電力を下げるように制御されるものが、一方の駆動回路に固定されていることを特徴とする請求項１または請求項２に記載の加熱調理器。
【請求項４】
上記電力供給部は、筐体の下部に設けられていることを特徴とする請求項１ないし請求項３の何れかに記載の加熱調理器。
【請求項５】
上記電力量検出手段は、電流センサであることを特徴とする請求項１ないし請求項４の何れかに記載の加熱調理器。
【発明の詳細な説明】
【技術分野】
【０００１】
この発明は家庭用のシステムキッチンに組込んで用いるのに好適なビルトイン型の加熱調理器に関する。
【背景技術】
【０００２】
従来の技術として、電源コンセントと、被加熱物を加熱する加熱装置と、前記加熱装置及び前記電源コンセントへの通電を制御する駆動回路と、使用者が通電箇所を選択するための操作部を本体に設け、前記電源コンセントと前記駆動回路と前記操作部を電気的に接続することで、ロースタ等を本体に組み入れずに分離して使用するようにしたものがある（例えば、特許文献１参照。）。
また、複数の加熱機器を備え、電源回路から各加熱機器への電力供給を制御手段により制御するものにおいて、前記各加熱機器において設定された運転内容を検知する手段と、前記加熱機器を設定された運転内容で運転したとき前記電源回路に流れる総電流を予測する手段とを具備し、前記制御手段は、前記予測された総電流が前記電源回路の最大許容電流よりも大きいとき、加熱機器に供給する実際の電力を、電源回路に流れる実際の総電流がその最大許容電流以下となるように制御するようにしたものがある（例えば、特許文献２参照。）。
【０００３】
【特許文献１】特開平５−１５９８７１号公報（第１頁、図１）
【特許文献２】特開平６−１０４０８６号公報（第１頁、図１）
【発明の開示】
【発明が解決しようとする課題】
【０００４】
従来の加熱調理器はコンロ部（誘導加熱装置または電熱ヒータ装置）の下部にロースタを備えたものが一般的であったが、コンロ部と他の機器、例えばロースタ、レンジ、オーブン、食洗機（食器洗浄乾燥機）等を組み合わせるキッチンが増えている。このコンロ部の下部に他の機器を設置する場合、コンロユニット用の電源コンセントの他に、他の機器用の電源コンセントが必要となるため、電源コンセント工事が複数必要となる。上記特許文献１ではロースタと加熱コイルまたは電熱ヒータへの電力供給を切換えているため、ロースタと加熱コイルまたは電熱ヒータを同時に使用することができない。また、特許文献２では他の機器の電力供給状態に応じて、機器の電力供給が低下するので、調理に支障を来たす事があるという課題があった。
【０００５】
この発明は上記のような従来技術の課題を解消するためになされたもので、電源コンセント工事の回数を減らし、多様なキッチンニーズに容易に対応できると共に、他の機器を接続しても、少なくとも１つは使用者が自由に調整可能でしかも電源コンセントの許容容量を越える事がないキッチン組込み形の加熱調理器を得ることを目的としている。
【課題を解決するための手段】
【０００６】
この発明による加熱調理器は、調理器具を加熱するための第１の駆動回路によって駆動される第１の加熱手段及び第２の駆動回路によって駆動される第２の加熱手段と、上記第１及び第２の駆動回路に対する操作表示部と、この操作表示部における設定に基づいて上記第１及び第２の駆動回路を制御する制御回路と、電源コンセントから電力の供給を受ける電源入力部とを備えたビルトイン型の加熱調理器において、上記電源入力部から受入れた電力を他の機器へ供給し得る電力供給部と、この電力供給部から供給される上記他の機器への電力量を検出する電力量検出手段とを備え、上記制御手段は、この電力量検出手段の検知結果に応じて上記電源コンセントの許容電力を超えないように上記第１及び第２の加熱手段の一方に対する供給電力を下げるように制御する。
【発明の効果】
【０００７】
この発明においては、他の機器へ電力を供給し得る電力供給部を備えていることで、他の機器用の電源コンセントの増設工事が不要であり、しかも他の機器への供給電力が電源コンセントの許容電力を超えるようになったときには、制御手段が第１及び第２の加熱手段の一方に対する供給電力を下げることで回路が保護され、残りの駆動回路では任意の加熱を続けられるので、調理に支障を来たす事がないという効果が得られる。
【発明を実施するための最良の形態】
【０００８】
実施の形態１．
図１はこの発明の実施の形態１による加熱調理器であるキッチン組込み形の誘導加熱調理器の要部構成を示すブロック図である。図において、商用電源に接続される電源コンセントプラグ１から供給される電力はノイズフィルタ２を介してインバータからなる第１の駆動回路３１、及び同様のインバータからなる第２の駆動回路３２、並びに例えばロースタ、レンジ、オーブン、食洗機等、ユーザの所望によりキッチン下部に組込まれる他の機器へ電力を供給するためのサービスコンセントからなる電力供給部４に供給される。なお、電力供給部４は例えば高容量コンセントまたは端子台等からなり、図示省略している筐体下部に設けられている。
【０００９】
ノイズフィルタ２は誘導加熱調理器が発生するノイズが電源コンセントへ漏洩するのを防ぐためのものである。インバータからなる第１の駆動回路３１は誘導加熱コイルからなる第１の加熱手段５１を駆動する高周波電流を発生させ、図示省略している金属鍋などの調理器具からなる負荷を加熱する。インバータからなる第２の駆動回路３２は同様の誘導加熱コイルからなる第２の加熱手段５２を駆動する高周波電流を発生させ、同様に負荷を加熱する。負荷への加熱の強さ、すなわち加熱手段５１，５２への電力供給量は駆動回路３１，３２によって制御される。第１及び第２の駆動回路３１、３２は、図示省略している筐体の上方手前あるいは前面部等に設けられた操作表示部６に対して設定された設定情報により、制御回路７を介して制御される。
【００１０】
なお、操作表示部６には個々の加熱手段５１、５２に対する加熱量を設定するためのボタン類、及びこれら第１、第２の加熱手段５１、５２の出力状態等の運転情報を表示するための例えばＬＥＤなどのランプまたはディスプレイなどが設けられている（何れも図示省略）。また、電力供給部４に分岐された線路には電流検出センサからなる電力量検出手段８が設けられ、制御回路７は、電力量検出手段８の検知結果に基づいて電源コンセントの許容電力を超えないように、この例では第１の加熱手段５１に対する供給電力を下げるように制御し、その場合でも第２の駆動回路３２側は加熱出力を０〜フルパワーの任意の範囲で用いることができるように構成されている。その他の構成については従来装置と同様であるので、説明を省略する。
【００１１】
次に、上記のように構成された実施の形態１の動作について説明する。なお、電力供給部４には所望の他の機器が接続されており、第１、第２の加熱手段５１、５２の出力を同時にフルパワーにしても、他の機器の消費電流が所定の範囲内では、電源コンセントの許容電力を超えず、また、他の機器をフルパワーで運転しても第２の加熱手段５２はフルパワーで使えるものとする。
第１の加熱手段５１、第２の加熱手段５２の上部にそれぞれ調理器具を載置し、操作表示部６で加熱出力を設定すると、操作表示部６は使用者からの出力調整情報を制御回路７に出力し、第１及び第２の加熱手段５１、５２の出力状態を表示する。第１の加熱手段５１及び第２の加熱手段５２は、制御回路７が第１の駆動回路３１、及び第２の駆動回路５２を各別に制御することでそれぞれ所望の電力で出力調整される。
【００１２】
制御回路７は、電力量検出手段８により電力供給部４に接続された他の機器に供給される例えば電流を監視しており、例えば他の機器への電力供給が無い場合、即ち電力量検出手段８の検出した信号がゼロの場合、制御回路７は使用者からの出力調整情報を元に第１及び第２の駆動回路３１、３２を設定された０〜フルパワーの任意の範囲内で制御する。一方、他の機器への電力供給が有る場合、制御回路７は電源コンセントの許容電力を超えないように第１の駆動回路３１を制御し、第１の加熱手段５１の出力を低下させると共に、操作表示部６に出力が低下した事を表示し、使用者に知らせる。このとき、第２の駆動回路３２は０〜フルパワーの任意の範囲内で制御することが可能なので、調理に支障を来たす事が回避される。
【００１３】
キッチンニーズの多様化に伴い、コンロ部と組み合わせる他の機器は多様化しており、その電力供給状態は多種多様である。しかし、実施の形態１によれば、上記のような構成とすることで、電力供給部４に他の機器が接続されても、電源コンセントの許容電力を超える事は無い。また、使用者が常時自由に出力調整できる第２の加熱手段５２があり、他の機器に電力供給していてもこの第２の加熱手段５２は同時に自由に使用できるので、調理時の不具合が生じにくい。例えば、他の機器であるロースタで魚を焼き、第１の加熱手段５１を使用して低火力で差し支えない煮込料理を行い、第２の加熱手段５２をフルパワーまで自由に出力調整しながら炒め物を行うといった事も同時に可能である。また、コンロ部の下部に他の機器への電力供給部４が設けられているため、他の機器用の電源コンセント工事が不要となり、多様なキッチンニーズに容易に対応できるようになる。なお、電力量検出手段８としては電流検出手段に加えて電圧検出手段を用いてもよい。
【００１４】
実施の形態２．
図２はこの発明の実施の形態２による加熱調理器であるキッチン組込み形の電熱式加熱調理器の要部構成を示すブロック図である。この実施の形態２ではコンロ部の第１及び第２の加熱手段５１ａ、５２ａとして電熱ヒータを用い、第１及び第２の駆動手段３１ａ、３２ａとして、例えばサイリスタなどの電力調整手段を用い、制御回路７ａによって実施の形態１と同様に制御するように構成したものである。
このように構成された実施の形態２においても、上記実施の形態１と同様の作用により同様の効果が得られる。
【００１５】
なお、第１及び第２の加熱手段５１ａ、５２ａの何れか一方を実施の形態１と同様のインバータによって駆動される加熱コイルに変更しても良い。さらに、第３の駆動手段によって駆動される第３の加熱手段（図示省略）を追加しても差し支えない。その場合、あるいは上記実施の形態１で示した前提条件を外れる高い消費電力または電流で運転された場合には、総消費電流が電源コンセント１または当該加熱調理器に設定された許容電流を超えないように制御回路７もしくは７ａによって、または公知の保護手段を付加して機器を保護するように動作させることは容易である。また、加熱手段の少なくとも１つを、インバータを用いた誘導加熱方式にすることは、熱効率の点で好ましい。
【００１６】
なお、電力供給部４に接続された他の機器の使用電流が電源コンセント１の許容電流よりも大きくなったときに絞る加熱手段は第１及び第２の加熱手段５１ａ、５２ａの任意の一方とする事ができるが、予め使用者に分かるように表示しておくことが望ましい。さらに、上記実施の形態１、２の加熱調理器は、他の機器への電力供給部４と電源コンセント１の間にノイズフィルタ２を備えているため、電力供給部４に接続する他の機器のノイズフィルタ（図示省略）を小型化、あるいは該ノイズフィルタを不要とすることもできる。
【図面の簡単な説明】
【００１７】
【図１】この発明の実施の形態１による加熱調理器であるキッチン組込み形の誘導加熱調理器の要部構成を示すブロック図である。
【図２】この発明の実施の形態２による加熱調理器であるキッチン組込み形の電熱式加熱調理器の要部構成を示すブロック図である。
【符号の説明】
【００１８】
１  電源コンセントプラグ、  ２  ノイズフィルタ、  ３１、３１ａ  第１の駆動回路、  ３２、３２ａ  第２の駆動回路、  ４  電力供給部、  ５１、５１ａ  第１の加熱手段、  ５２、５２ａ  第２の加熱手段、  ６  操作表示部、  ７、７ａ  制御回路、  ８  電力量検出手段。
【図１】
2008021433.tif 000003
【図２】
2008021433.tif 000004